Podtech/llm-jp-corpus-v4-ja_patent huggingface dataset:
(57)【要約】【課題】ユーザー本人による締結部材の交換を可能にする自動車用ホイールを提供する。【解決手段】リム部４と、スポーク３を備えたディスク部１とが軽合金により一体に成形されているワンピース構造の自動車用ホイールにおいて、リム部４のタイヤビード支持部５の内周面の円周方向に装飾部６を突出形成する。また、装飾部６に複数個の貫通孔７を列設し、各貫通孔７に装飾用締結部材（ボルト８、ナット９）を螺子止めにより固着する。【選択図】図２
0003200368.tif 000002
【実用新案登録請求の範囲】
【請求項１】
リム部と、スポークを備えたディスク部とが軽合金により一体に成形されているワンピース構造の自動車用ホイールにおいて、前記リム部のタイヤビード支持部の内周面の円周方向に装飾部を突出形成し、前記装飾部に装飾用締結部材を着脱自在に取り付けることを特徴とする自動車用ホイール。
【請求項２】
前記装飾部に複数個の貫通孔を列設し、前記装飾用締結部材は複数個のボルトとナットから構成され、前記各貫通孔に前記各装飾用締結部材を螺子止めにより固着することを特徴とする請求項１に記載の自動車用ホイール。
【考案の詳細な説明】
【技術分野】
【０００１】
本考案は、安全性を考慮しつつ装飾効果を高めることが可能な自動車用ホイールに関する。
【背景技術】
【０００２】
自動車用ホイールにおいては、リム部とディスク部が軽合金により一体に成形されているワンピース構造、リム部の幅中央部の底壁の内周面にディスク部を嵌め込み固定するツーピース構造、リム部を複数個のボルト・ナットによりディスク部に取り付け固定するスリーピース構造のものが公知になっている（特許文献１）。
【０００３】
また、自動車用ホイールの装飾装置に関する先行技術の一例としては、センターボアを取り囲むように設けた装飾面に取付穴を円周方向に列設して、その取付穴に装飾駒を挿着した装飾装置が開示されている（特許文献２）。
【先行技術文献】
【特許文献】
【０００４】
【特許文献１】実公昭５９−２７２８３号公報
【特許文献２】特開２００６−２１８８９０号公報
【考案の概要】
【考案が解決しようとする課題】
【０００５】
本考案は、従来のツーピース構造・スリーピース構造のアルミホイールでは安全性の面で問題があったユーザー本人による締結部材の交換を可能にする自動車用ホイールを提供することを目的とする。
【課題を解決するための手段】
【０００６】
上記の課題を解決するために、請求項１に記載の考案は、リム部と、スポークを備えたディスク部とが軽合金により一体に成形されているワンピース構造の自動車用ホイールにおいて、前記リム部のタイヤビード支持部の内周面の円周方向に装飾部を突出形成し、前記装飾部に装飾用締結部材を着脱自在に取り付けることを特徴とする。
【０００７】
また、請求項２に記載の考案は、請求項１に記載の前記装飾部に複数個の貫通孔を列設し、前記装飾用締結部材は複数個のボルトとナットから構成され、前記各貫通孔に前記各装飾用締結部材を螺子止めにより固着することを特徴とする。
【考案の効果】
【０００８】
以上のように、本考案にかかる自動車用ホイールによれば、ワンピース構造の自動車用ホイールにおいてリム部のタイヤビード支持部の装飾部に装飾用締結部材を着脱自在に取り付ける構造を採用したので、ユーザー本人による装飾用締結部材の交換が安全にできる。これにより、安全性を確保しつつ、ユーザー本人が所望する装飾に適宜変更することが可能になる。
【図面の簡単な説明】
【０００９】
【図１】本考案にかかる自動車用ホイールの一例を示す正面図である。
【図２】図１のＡ−Ａ線断面図である。
【考案を実施するための形態】
【００１０】
以下、本考案の実施の形態について図面を参酌しながら説明する。ここで、本考案にかかる自動車用ホイールの各構成については、以下の実施例に限定されるものではなく、使用状況によって適宜変更することができる。
【００１１】
図１は本考案にかかる自動車用ホイールの一例を示す正面図、図２は図１のＡ−Ａ線断面図である、図１に示すように、ディスク１は中心部２から放射状に延びる複数のスポーク３を備えている。スポーク３の先端部は、図１及び図２に示すように、リム部４のタイヤビード支持部５の内周面と一体に形成されている。
【００１２】
また、リム部４のタイヤビード支持部５の内周面には、図１及び図２に示すように、円周方向に装飾部６が突出形成されている。装飾部６には、複数個の貫通孔７が列設され、その貫通孔７に装飾用締結部材が着脱自在に取り付けられる。
【００１３】
上記装飾用締結部材は、複数個のボルト８とナット９から構成される。各貫通孔７に螺子止めにより簡単に固定できるため、ユーザー本人による装飾用締結部材の交換が安全にできる。なお、ボルト８の頭部形状及び溝の構成については、図示する内容に限定されるものではなく、種々の中から適宜選択できる（頭部形状の例／なべ、皿、丸皿、トラス、バインド、六角、四角など、溝の構成の例／マイナス、プラス、プラスマイナス、六角穴、四角穴など）。
【符号の説明】
【００１４】
１  ディスク部
２  中心部
３  スポーク
４  リム部
５  タイヤビード支持部
６  装飾部
７  貫通孔
８  ボルト
９  ナット
【図１】
0003200368.tif 000003
【図２】
0003200368.tif 000004
(57)【要約】      （修正有）【課題】耐久性に優れた構造とすることで、被取付材からの落下を抑制することが可能な建材を提供する。【解決手段】建材である屋根瓦１０は、釘孔２１が形成され、釘孔２１を挿通する釘９によって被取付材である野地板３に固定される板状のものである。釘孔２１を拡径し、釘孔２１と釘９との間に筒状の衝撃吸収材２２を介在させている。衝撃吸収材２２により荷重が吸収されるので、ヒビが発生し難くなり、屋根瓦１０が割れて落下することを抑制できる。【選択図】図２
0003200331.tif 000002
【実用新案登録請求の範囲】
【請求項１】
釘孔が形成され、前記釘孔を挿通する釘によって被取付材に固定される板状の建材であって、
前記釘孔を拡径し、前記釘孔と前記釘との間に筒状の衝撃吸収材を介在させる
ことを特徴とする建材。
【請求項２】
請求項１に記載の建材であって、
前記衝撃吸収材は、弾性材である
ことを特徴とする建材。
【考案の詳細な説明】
【技術分野】
【０００１】
本考案は、瓦やボード等の建材に関する。
【背景技術】
【０００２】
瓦やボード等の建材に釘孔を形成し、釘孔を挿通する釘によって建材を被取付材に固定する構造が知られている。
【先行技術文献】
【特許文献】
【０００３】
【特許文献１】特開平０４−００７４４５号公報
【特許文献２】実用新案登録第３０２１４６９号公報
【考案の概要】
【考案が解決しようとする課題】
【０００４】
しかし、釘と釘孔とが近接しているため、地震等で建材が被取付材に対して移動しようとすると、釘孔周縁からヒビが発生し、建材が割れて落下するおそれがある。
【０００５】
そこで、本考案は、耐震性に優れた構造とすることで、被取付材からの落下を抑制することが可能な建材の提供を目的とする。
【課題を解決するための手段】
【０００６】
上記目的を達成すべく、本考案の建材は、釘孔が形成され、釘孔を挿通する釘によって被取付材に固定される板状の建材である。釘孔を拡径し、釘孔と釘との間に筒状の衝撃吸収材を介在させる。
【０００７】
衝撃吸収材は、弾性材であってもよい。
【０００８】
上記構成では、衝撃吸収材により荷重が吸収され、ヒビが発生し難くなり、割れて落下することを抑制できる。
【考案の効果】
【０００９】
本考案の建材によれば、耐久性に優れた構造とすることで、被取付材からの落下を抑制することが可能となる。
【図面の簡単な説明】
【００１０】
【図１】本考案の実施形態に係る屋根瓦を備える瓦屋根の軒先部を示す断面図である。
【図２】図１の屋根瓦の要部断面図である。
【図３】衝撃吸収材の斜視図である。
【考案を実施するための形態】
【００１１】
以下に、本考案に係る屋根瓦の一実施形態を、図面に基づいて説明する。図１は本実施形態の屋根瓦を備える瓦屋根の断面図、図２は図１の屋根瓦の要部断面図、図３は衝撃吸収材の斜視図である。
【００１２】
図１に示すように、瓦屋根（以下、単に屋根と称する）１は、タルキ２上に固定された野地板３と、野地板３上に配置される多数の屋根瓦１０とを備える。野地板３は、木製の合板４と、合板４上に敷設された耐水シート材５とから構成されている。
【００１３】
野地板３の軒端（屋根１の最下部である軒先）の上面には、複数本の鼻桟６が屋根の傾斜方向と略直交して略直線状に並んで配置され、各鼻桟６は、釘（図示省略）によって野地板３に固定されている。また、鼻桟６の下方近傍には、軒樋７が設けられている。
【００１４】
鼻桟６には、屋根１の傾斜方向１００の最下列（軒側先端）の屋根瓦１０の下端部（軒先側）が載せられ、この屋根瓦１０の下端部が鼻桟６に釘８によって固定されている。また、最下列の屋根瓦１０の上端部（棟側）は、野地板３に釘９によって固定されている。この最下列の屋根瓦１０の上端には、屋根１の傾斜方向１００の直ぐ上（最下列から上方に２列目）の屋根瓦１０の下端が重ねられ、この２列目の屋根瓦１０の上端部も、釘９によって野地板３に固定されている。このように、屋根瓦１０は最下列から上方に順次重ねられ、野地板３に固定される。
【００１５】
図２に示すように、板状の建材である屋根瓦１０には、拡径した釘孔２１が形成されている。釘孔２１は、釘９の胴部９ａの径よりも大きく、且つ円筒状の衝撃吸収材２２の外径よりも僅かに小さく、衝撃吸収材２２が挿通可能な径の略真円形状の孔である。この釘孔２１には、釘９との間に介在させる衝撃吸収材２２が挿通される。
【００１６】
図２及び図３に示すように、衝撃吸収材２２は、釘９を挿通する方向２００に沿って、挿入部分２３とフランジ部分２４とが連続するように一体形成された弾性材（例えば、ゴム等）であり、挿入部分２３の外周とフランジ部分２４の外周との間に段差２５が設けられる。挿入部分２３は、釘孔２１の径よりも僅かに大きく釘孔２１に挿通可能な外径を有する。また、挿入部分２３は、屋根瓦１０の厚みｔと略同じ長さｔを有する。フランジ部分２４は、釘孔２１の径よりも大きく釘孔２１に挿通不可能な外径を有する。衝撃吸収材２２は、釘９の胴部９ａの径と略同じかそれよりも僅かに小さく、釘９の胴部９ａが挿通可能な内径を有する。屋根瓦１０は、衝撃吸収材２２を介在させた釘孔２１を挿通する釘９によって、被取付材である野地板３に固定される。釘９の頭部９ｂと衝撃吸収材２２のフランジ部分２４との間には、リング状のゴム製のパッキン２６が介在させられる。なお、釘９に衝撃吸収材２２を装着した後、その衝撃吸収材２２を釘孔２１に挿入してもよく、あるいは、釘孔２１に衝撃吸収材２２を装着した後、釘９を衝撃吸収材２２の内径部に挿入してもよい。また、屋根瓦１０を固定する釘９は、ビスであることが好ましい。ただし、ここでいうビスは、胴部９ａの先端が尖っているものとする。
【００１７】
本実施形態によれば、衝撃吸収材２２により荷重が吸収され、ヒビが発生し難くなり、割れて落下することが抑制できる。
【００１８】
なお、上記実施形態において、板状の建材として、屋根瓦１０の場合を例に説明したが、セメント等の非金属の無機材を焼成等によって固化したものであればよく、壁材や屋根の下地材などに使用するボード等であってもよい。
【００１９】
そして、上記実施形態において、野地板３に固定するための釘９を挿通する釘孔２１の場合を例に説明したが、鼻桟６に固定するための釘８を挿通する釘孔についても、釘孔２１と同様の構造にすることが可能である。
【００２０】
以上、本考案者によってなされた考案を適用した実施形態について説明したが、この実施形態による本考案の開示の一部をなす論述及び図面により本考案は限定されることはない。すなわち、この実施形態に基づいて当業者等によりなされる他の実施形態、実施例及び運用技術等は全て本考案の範疇に含まれることは勿論であることを付け加えておく。
【産業上の利用可能性】
【００２１】
本考案は、瓦、ボード材その他の建材に利用することができる。
【符号の説明】
【００２２】
３  野地板（被取付材）
９  釘
１０  屋根瓦（建材）
２１  釘孔
２２  衝撃吸収材（弾性材）
【図１】
0003200331.tif 000003
【図２】
0003200331.tif 000004
【図３】
0003200331.tif 000005
(57)【要約】      （修正有）【課題】電気などの外部エネルギーを利用せず、素材のみで周囲の空気の清浄化をもたらす屋内造形物を提供する。【解決手段】屋内に配置される置物、調度品又は装飾品であって、その表面にホタテ貝の貝殻、漆喰、ホタテ貝以外の貝殻、灰又は珪藻土を主原料とする、有害物質の吸着及び化学分解効果を有する素材の層を形成する。これらの天然素材は多孔質構造から成り、空気中の有害汚染物質を吸着すると、単に閉じ込めるだけでなく無害物質に化学分解し放出する効果を有し、炭のような使用経過による劣化がなく、常に無害化反応を繰り返すことで清浄効果が半永久的に持続する。【選択図】図１
0003200400.tif 000002
【実用新案登録請求の範囲】
【請求項１】
一般的な屋内生活空間における置物、調度品、装飾品等の表面に、ホタテ貝の貝殻または化学合成品、漆喰、ホタテ貝以外の貝殻、灰、珪藻土などを主原料とする有害物質の吸着、化学分解効果を持った素材の層を形成し、周囲の空気を清浄化する効果を持たせた造形物。
【考案の詳細な説明】
【技術分野】
【０００１】  本考案は一般的な屋内生活空間において、置物、調度品、装飾品等の表面にホタテ貝の貝殻を原料とした天然素材特殊セラミック素材を塗布または付着させ、周囲の空気を清浄化する効果を持つ造形物に関する。
【背景技術】
【０００２】  従来の環境清浄化及び健康促進効果をもたらす屋内造形物については、清浄化のための素材として炭や漆喰、光触媒またはイオン効果を発生させる電気動力装置などが用いられてきたが、色感および高コストなどの問題が残されてきた。
【先行技術文献】
【０００３】
【実用新案文献】
登録実用新案第３１８０１６９号
【考案の概要】
【考案が解決しようとする課題】
【０００４】  屋内造形物の材質、大小、形を問わずすべてを対象とする。【０００５】  電気などの外部エネルギーを利用せず、表面塗布材のみの効果で周囲の空気の清浄化をもたらし、そのためのコストを最小限に留める。
【課題を解決するための手段】
【０００６】  本考案の造形物を製作するには、主材料としてホタテ貝の貝殻を原料とした天然素材特殊セラミックを塗布材として使用するが、空気清浄効果を持つ素材であれば化学合成品、漆喰、ホタテ以外の貝殻、灰、珪藻土、わさび（すりおろして練り上げたもの）などいかなる原材料をも用い、これらの材料を造形物の表面に塗布、付着、含有させてもよい。【０００７】  主材料として用いるホタテ貝の貝殻は焼成されていてもよく、かつ粉末状のものであっても可とする。
【考案の効果】
【０００８】  塗布の対象は屋内造形物すべてが対象となり、大小、形状を問わない。また塗布が可能であれば被体は木、樹脂、金属など素材の材質も問わない。【０００９】  ホタテ貝の貝殻を原料とした天然素材特殊セラミックは白色であり、明るく清潔なイメージが得られ、この特長は日光（紫外線）にさらされることによる変色、ほこりなどによる汚れ等の影響も受けにくい。【００１０】  ホタテ貝の貝殻を原料とした天然素材特殊セラミックは図２に示す多孔質構造から成り、空気中の有害汚染物質をこの構造中に吸着すると、単に閉じ込めるだけでなく無害物質に化学分解し放出する効果を有していて、このため炭のような使用経過による劣化がなく、常に無害化反応を繰り返すことで天然素材特殊セラミック自体の清浄効果が半永久的に持続する。【００１１】  ホタテ貝の貝殻を原料とした天然素材特殊セラミックは、素材自体あるいは副材にもホルムアルデヒドやＶＯＣを含まず、それらを軽減し、また抗菌、防カビ、防虫、防ダニ、消臭、二酸化炭素軽減効果があることで、あらゆる屋内空間において子どもや老人、過敏症などをわずらう人が近くにいても環境的な影響を及ぼさず害になることはない。【００１２】  ホタテ貝の貝殻を原料とした天然素材特殊セラミックを塗布した造形物は、万一火災等に遭遇した場合でも耐火性にすぐれている。
【図面の簡単な説明】
【００１３】
【図１】ホタテ貝の貝殻を粉末にし、水溶性接着剤と混合して置物の表面に浸漬、塗布、スプレー吹き付けなどの方法により、空気清浄材の層を構成した一例である。
【図２】本考案に用いるホタテ貝の貝殻を原料とした天然素材特殊セラミック空気清浄材の多孔質構造を拡大図示したもの。
【実施例１】
【００１４】  造形物の表面に図１に示したようにホタテ貝の貝殻を原料とした天然素材特殊セラミックを塗布し、日常環境に飾り物として置いて、室内の空気環境浄化の一助とする。
【実施例２】
【００１５】  塗布する空気清浄材の層の厚みはおよそ０．１ミリメートルから２ミリメートルであり、この値は造形物側の素材や大きさによってはがれなどの不具合を発生させないために適宜可変する。
【実施例３】
【００１６】  本考案に用いる空気清浄材は、ホタテ貝の貝殻を原料とした天然素材特殊セラミックを主な材料とするため白色であるが、屋内における色感を重視する場合は、素材に空気清浄効果を阻害しない範囲の色材を混合することも可能である。
【図１】
0003200400.tif 000003
【図２】
0003200400.tif 000004
【手続補正書】
【提出日】平成27年7月27日(2015.7.27)
【手続補正１】
【補正対象書類名】実用新案登録請求の範囲
【補正対象項目名】全文
【補正方法】変更
【補正の内容】
【実用新案登録請求の範囲】
【請求項１】
屋内に配置される置物、調度品又は装飾品であって、その表面にホタテ貝の貝殻、漆喰、ホタテ貝以外の貝殻、灰又は珪藻土を主原料とする、有害物質の吸着及び化学分解効果を有する素材の層が形成されていて、これにより周囲の空気を清浄化する効果を持っている屋内造形物。
(57)【要約】      （修正有）【課題】額装用のマットにデザインをほどこすことにより、マットと、額装の中央に置かれる作品のふたつそれぞれに、双方向の関係で、額装全体として、かつてなかった新しい第三の作品世界を現出させることができる額装用マットを提供する。【解決手段】額装の中央に置かれた作品を装飾する額装用マット１０２であって、紙、布、ビニール、プラスチック、皮、植物若しくは金属のうちいずれか１種類の素材から、又はそのうち任意の複数種類の素材から形成されていることを特徴とする。マット中央に置かれる作品（写真、絵など）を勘案して、それにふさわしいマットの素材を選定したうえで、デザインを考案してマットにほどこす。【選択図】図１
0003200392.tif 000002
【実用新案登録請求の範囲】
【請求項１】
額装の中央に置かれた作品（写真、絵等）を装飾することを目的として、マットの素材（紙、布、ビニール、プラスチック、金属等）自体を勘案してデザインをほどこされることを特徴とする額装用マット。
【考案の詳細な説明】
【技術分野】
【０００１】  本考案は、デザインをほどこした額装用マットに関するものである。
【背景技術】
【０００２】  絵、写真などの額装用として使われるマットには、寸法の不一致を調整し、余白を埋める機能、額装に広がりと奥行きを与える機能、フレームと作品の間でカラーコーディネートをはかる機能、作品を保護する機能などがあるとされる。そのようなマットであるが、これまでは、無地で、しかも色は白、ベージュ等の目立たないものがほとんどで、マット自体にデザインをほどこした、独自の色をもつものはなかった。
【考案の概要】
【考案が解決しようとする課題】
【０００３】  これまでのマットは、額装の中心に置かれる写真、絵等の作品に対して、デザイン的な影響を与えてはならないものであった。マットは作品に対して黒子的な存在で、マット自体、独自の機能が与えられなかった。すなわち、額装の中央に置かれる、独自の色の濃淡、独自の奥行き感をもつ写真、絵等の作品と、マットが互いに影響を与えあうということがなかった。本考案はこのような課題を解消するためになされたものである。
【課題を解決するための手段】
【０００４】  額装の中心に置かれる写真、絵等の作品が持つ、色の濃淡、奥行き感、立体感などを総合的に考慮して、マットの素材（紙、ビニール、布、プラスチック、金属等）および色を選ぶ。こうして選定したマットそのものに、額装の中心の作品を考慮してデザインをほどこす。マットの素材が紙であれば、草花などの自然物を用いてデザインをほどこす。デザイン自体の色も、写真、絵等の作品および、マットの素材・色等を総合的に考慮して決定する。
【考案の効果】
【０００５】  デザインをほどこしたマットそのものが独自の立場を取得する。額装の中心に置かれる写真、絵等の作品が平面的であれば、マットのデザインもそれに化学反応して平面的な強調性を帯びてくるようになる。視覚的効果である。反対に今度はマットのデザイン・色等に作品が反応する。マットと写真、絵等の作品との関係が、これまでの作品主体の一方的な関係ではなく、それぞれが独自性を持った対等の、双方向の関係となる。このようなマットと作品とのコラボ、化学反応を通し、額装された全体の作品は、これまでのものとはまったく打って変わり、第三の新しい作品に生まれ変わる。見る人によっては、ときには、マットのデザインのほうが主であったりする。本考案により、このような第三の新しい作品を世に広めることになる。紙などの素材で額装の作品を作った場合、高度に発達した印刷技術等を用いるならば、オリジナルをもその質においてしのぐ、大量のコピー作品を作ることも可能となり、本考案は産業の発展に大きく貢献するものとなる。
【図面の簡単な説明】
【０００６】
【図１】この考案の一実施形態を示すマットの平面図である。
【図２】この考案の一実施形態を示すマットの断面図である。
【考案を実施するための形態】
【０００７】  この考案の一実施形態の詳細を、図１に基づいて説明する。
【実施例】
【０００８】  紙を素材とした本一実施例では、手漉き和紙に押し花を入れ、自然の造形美をデザインとしてマットに取りこむ。完成したマットと作品（写真、絵等）を組み合わせ、額に入れて出来上がる。
【符号の説明】
【０００９】１０１：額縁  １０２：マット  １０３：写真
【図１】
0003200392.tif 000003
【図２】
0003200392.tif 000004
【手続補正書】
【提出日】平成27年4月16日(2015.4.16)
【手続補正１】
【補正対象書類名】実用新案登録請求の範囲
【補正対象項目名】全文
【補正方法】変更
【補正の内容】
【実用新案登録請求の範囲】
【請求項１】
額装の中央に置かれた作品を装飾する額装用マットであって、紙、布、ビニール、プラスチック、皮、植物、金属を素材とすることを特徴とする額装用マット。
【手続補正書】
【提出日】平成27年7月24日(2015.7.24)
【手続補正１】
【補正対象書類名】実用新案登録請求の範囲
【補正対象項目名】全文
【補正方法】変更
【補正の内容】
【実用新案登録請求の範囲】
【請求項１】
額装の中央に置かれた作品を装飾する額装用マットであって、紙、布、ビニール、プラスチック、皮、植物若しくは金属のうちいずれか１種類の素材から、又はそのうち任意の複数種類の素材から形成されていることを特徴とする額装用マット。
(57)【要約】      （修正有）【課題】踏み台に上がらないと、中が見えない不便さを解消する吊戸棚を提供する。【解決手段】吊戸棚本体７の内部に内戸棚を設け、内戸棚に取り付けたワイヤー４を電動モーター１で上下方向に駆動することを特微とする。【選択図】図１
0003200396.tif 000002
【実用新案登録請求の範囲】
【請求項１】
流し台の上の吊戸棚、手が届かなくて、踏み台がないと中に何が入っているのかわからない。一年間に一度も明けない事もある吊戸棚。
【請求項２】
本考案は、吊戸棚に電動モーターを取り付けることで、毎日使用できる、吊戸棚に変える事が出来たのである。
【考案の詳細な説明】
【技術分野】
【０００１】
【背景技術】
【０００２】現在は流し台の吊戸棚は物置になっています、踏み台がないと中が見えない、吊戸棚の中棚が下がる事で、目の前の棚に変身する。
【考案の概要】
【考案が解決しようとする課題】
【０００３】従来はバネ式で棚の戸を明けて引き出す方法もありますが、バネ式の棚が大きくて、本来の棚の部分のスペースが少なくなってる。【０００４】本考案は、目の前に棚が下がってくる、棚のスペースは広い。
今後、吊戸棚の分野では利用価値は大である。対面キッチン吊戸棚に連動した場合は流し台の前進的存在である。
【課題を解決するための手段】
【０００５】本考案は、踏み台がないと、中が見えない届かない吊戸棚を電動モーターで棚が下がってくる事で、目の前で使用する事ができる。
【考案の効果】
【０００６】高い見えない吊戸棚が、毎日使用できる棚に変身した、稼働することで陳列スペースが広くなり利点も多い。電動式にすることで台所で死んだ場所がなくなったのである。
【図面の簡単な説明】
【０００７】
【図１】縮尺１００／１  吊戸棚正面  断面図である。
【図２】縮尺１００／１  吊戸棚横面  断面図である。
【図３】見当図  吊戸棚ポイント部分の図面である。
【図４】見当図  ４−１内戸棚収納時の図面である。４−２内戸棚使用時。考案の基本形である。
【考案を実施するための形態】
【０００８】従来の流し台の吊戸棚のように外箱を壁に取付ける。
吊戸棚なので天井に金具で取りつける。
低速モーターで内戸棚を、スイッチで上下させる。
必要に応じて、停止することができる。
内戸棚が下がる事で有効可動が広くなったのである。
【産業上の利用可能性】
【０００９】現在のシステムキッチンに、この考案を取り入れたら、一歩前に進んだ吊戸棚のイメージになり進歩です。
対面キッチンの吊戸棚の場合は利点が多いと思われます。
低速モーターの開発、普及。キッチンのリフォーム普及。
吊戸棚のサイズ。Ｗ  １．６００〜１．２００  Ｈ  ７００。内容量２０キロ
Ｉ．主動モーター  ＡＣ１００Ｖ５０／６０Ｈ８０Ｗ
【図１】
0003200396.tif 000003
【図２】
0003200396.tif 000004
【図３】
0003200396.tif 000005
【図４】
0003200396.tif 000006
【手続補正書】
【提出日】平成27年5月18日(2015.5.18)
【手続補正１】
【補正対象書類名】実用新案登録請求の範囲
【補正対象項目名】全文
【補正方法】変更
【補正の内容】
【実用新案登録請求の範囲】
【請求項１】
高い吊り戸棚がモーターで吊戸棚の内部の棚が下がる。
【請求項２】
内部の棚が下がる事ですぐ手がとどく棚に変わった。
【手続補正書】
【提出日】平成27年7月27日(2015.7.27)
【手続補正１】
【補正対象書類名】実用新案登録請求の範囲
【補正対象項目名】全文
【補正方法】変更
【補正の内容】
【実用新案登録請求の範囲】
【請求項１】
吊戸棚本体の内部に内戸棚を設け、内戸棚に取り付けたワイヤーを電動モーターで上下方向に駆動することを特微とする吊戸棚。
(57)【要約】      （修正有）【課題】老若男女、誰でも容易に実演が可能な手品用品を提供する。【解決手段】（１）１片の紙３に図柄を描き、同じ大きさの透明状の板１を帯状につなぎとめた部品、（２）紙の中心を四角く切り抜き、切り抜かれた紙の上辺に同じ大きさの紙をつなぎ、つないだ紙の右辺に同じ大きさの紙４をつなぎとめた部品、以上（１）〜（２）の構成からなることを特徴とする。【選択図】図３
0003200394.tif 000002
【実用新案登録請求の範囲】
【請求項１】
１片の紙に図柄などを描き、それと同じサイズの透明状の板を帯状につなぎとめる。
繋いだところを折り込み、帯側に持ち手を作る。
透けて見える下の図柄の輪郭を重なった上の透明状の板に描き、それらと同じ大きさの３片の厚紙を折りたたみ込み、表紙は輪郭の絵のみが表示された状態にする。
帯側の持ち手を引っ張り、最初に描いた絵を出現させる手品用品。
【考案の詳細な説明】
【考案の概要】
【考案が解決しようとする課題】
【０００１】瞬時に変わる手品には、誰でも簡単にできる仕掛けは独自性に欠け、独自性を重視すると材質の調達に費用と手間がかかる問題点があった。
【課題を解決する為の手段】
【０００２】調達が容易な部材、紙と透明状の板を使い、透明状の板の間に紙を挟み込み、透明状の板の端を留め、反対側の端は紙を固定し、透明状の板を引くことで紙が２枚の透明状の板から抜けるようにした。
【考案の効果】
【０００３】透明状の板から紙が抜けることで、事前に描いておいた絵が現れ、瞬時に絵が変わる手品が行える。
【図面の簡単な説明】
【図１】透明状の板と紙の手品を展開する前の立面図である。
【図２】透明状の板と紙の手品を展開した後の立面図である。
【符号の説明】引き出し式手品本体
紙
透明状の板
【図１】
0003200394.tif 000003
【図２】
0003200394.tif 000004
【図３】
0003200394.tif 000005
【図４】
0003200394.tif 000006
【手続補正書】
【提出日】平成27年4月24日(2015.4.24)
【手続補正１】
【補正対象書類名】実用新案登録請求の範囲
【補正対象項目名】全文
【補正方法】変更
【補正の内容】
【実用新案登録請求の範囲】
【請求項１】
（１）１片の紙に図柄を描き、同じ大きさの透明状の板を帯状につなぎとめた部品
（２）１辺をくりぬいた３辺をつなぎ止めた紙部品
以上（１）〜（２）の構成からなる手品用品。
【手続補正２】
【補正対象書類名】明細書
【補正対象項目名】全文
【補正方法】変更
【補正の内容】
【考案の詳細な説明】
【考案の概要】
【考案が解決しようとする課題】
【０００１】瞬時に変わる手品には、誰でも簡単にできる仕掛けは独自性に欠け、独自性を重視すると材質の調達に費用と手間がかかる問題点があった。
【課題を解決する為の手段】
【０００２】調達が容易な部材、紙と透明状の板を使い、透明状の板の間に紙を挟み込み、透明状の板の端を留め、反対側の端は紙を固定し、透明状の板を引くことで紙が２枚の透明状の板から抜けるようにした。
【考案の効果】
【０００３】透明状の板から紙が抜けることで、事前に描いておいた絵が現れ、瞬時に絵が変わる手品が行える。
【図面の簡単な説明】
【図１】透明状の板と紙の手品を展開する前の立面図である。
【図２】透明状の板と紙の手品を展開した後の立面図である。
【図３】透明状の板と紙の組み合わせ方を表現した展開図である。
【図４】透明状の板と紙を組み合わせ手品を展開する前の断面図である。
【符号の説明】紙（Ａ）
紙（Ｂ）
透明状の板
接合部
手品前の絵
手品後の絵
１透明状の板
２接合部
３紙（Ｂ）
４紙（Ａ１）
５紙（Ａ２）
２接合部（引き抜く）
【手続補正書】
【提出日】平成27年8月3日(2015.8.3)
【手続補正１】
【補正対象書類名】実用新案登録請求の範囲
【補正対象項目名】全文
【補正方法】変更
【補正の内容】
【実用新案登録請求の範囲】
【請求項１】
（１）１片の紙に図柄を描き、同じ大きさの透明状の板を帯状につなぎとめた部品
（２）紙の中心を四角く切り抜き、切り抜かれた紙の上辺に同じ大きさの紙をつなぎ、つないだ紙の右辺に同じ大きさの紙をつなぎとめた部品
以上（１）〜（２）の構成からなる手品用品。
(57)【要約】      （修正有）【課題】使用する際開口部に枠材を使わず、プラネットのみで安価で確実に排水口金属笊に仮固定できるプラスチックネット袋を提供する。【解決手段】プラスチックネット１を筒状に狭窄成形し、一端２を熱風止して他端３を開口とし、開口端近傍の左右両側にマーキング部材を熱圧着により設ける。狭窄加工により開口部口径が狭くなり、排水口金属笊に仮固定できる。【選択図】図１
0003200397.tif 000002
【実用新案登録請求の範囲】
【請求項１】
台所の流し排水口等で多用される下水管詰り防止用網（通称：プラネットの生産・加工を圧接・熔断と折返し狭窄に依る一工程で成し遂げる形状である加工済みプラネット袋。
【考案の詳細な説明】
【技術分野】
【０００１】  従来この用途のプラネット袋は  底部を裁断の後  手加工で縫合してあったが、通称まつり縫いに技量の良否があり、生産管理上・製品管理上多々問題があった。圧接・熔断は云わば機械加工であり、次に開口部を熔断後、僅か折返し、狭窄加工した、信頼性も高く品質も良い物である。
【背景技術】
【０００２】  従来  プラネットは防虫網に使われ、笊など小物の場合その縁処理には、枠材と合体等が多い。
【考案が解決しようとする課題】
【０００３】浅い笊なら  そのプラネットののびしろで対応出来るが、深い笊なら  それなりの工夫が要り、出来れば  全て機械加工にしたい。
【課題を解決するための手段】
【０００４】  プラネットを筒状に成形し、笊径を筒径とし、笊深さに折返幅を足したものを溶断間隔とし  底部を熔接し、開口部を折返し狭窄加工すれば、枠材に拘らず  全て機械加工のみで  量産が可能となり、甚だ安く・信頼できる  柔軟性プラネットが得られる。
【考案の効果】
【０００５】  一般に  台所流し排水口は円筒形であり、プラネットの装着・脱除が容易な構造であり、改めて  プラネットの為に枠材は要らない。
【考案を実施するための最良の形態】
【０００６】  一般的に台所流し台排水口は深型、浅型などあるがプラネットの伸代で対応する。
【実施例１】
【０００７】図２のような  プラネット
【産業上の利用可能性】
【０００８】  下水管詰り防止用網に限らず  開口・深さ寸法を合わせれば  球形果実の数個づつ包み、など  球形・円筒形物の数個づつ梱包する際に役立つ。
【図面の簡単な説明】
【０００９】
【図１】プラネットの平坦化熔接状態と開口部狭窄状態。
【図２】プラネットの溶断状態と使用時折返し形状。
【符号の説明】
【００１０】  １  プラネットの素材
２  底部熔断熔接部位
３  開口部狭窄・折返し加工部位
【図１】
0003200397.tif 000003
【図２】
0003200397.tif 000004
【手続補正書】
【提出日】平成27年3月30日(2015.3.30)
【手続補正１】
【補正対象書類名】実用新案登録請求の範囲
【補正対象項目名】全文
【補正方法】変更
【補正の内容】
【実用新案登録請求の範囲】
【請求項１】
網状透水性円筒形連続成形物（菱形プラスチックモノフィラメントネット）の裁断開口端の、左右両側から２ｃｍ程内側迄に、幅５ｍｍのフィルムを熱圧着した形状であること。
【手続補正書】
【提出日】平成27年4月6日(2015.4.6)
【手続補正１】
【補正対象書類名】実用新案登録請求の範囲
【補正対象項目名】全文
【補正方法】変更
【補正の内容】
【実用新案登録請求の範囲】
【請求項１】
菱形プラスチックモノフィラメントネット押出成形後  平坦化し巻取られた後に  所定の長さで裁断され  一端は熱封止され  他端は開放状の  所謂網袋状態の時、その開口部の左右両側から長さ３ｃｍ程、幅１ｃｍ程のマーキングフィルムを熱圧着した形状であること。
【手続補正書】
【提出日】平成27年5月19日(2015.5.19)
【手続補正１】
【補正対象書類名】実用新案登録請求の範囲
【補正対象項目名】全文
【補正方法】変更
【補正の内容】
【実用新案登録請求の範囲】
【請求項１】
網状透水性円筒形連続成形物（菱形プラスチックモノフィラメントネット）の押出成型後平坦化し巻取られた後に  所定の長さで裁断され  一端は熱封止され  他端は開放状の所為網袋状態の時  その開口端の左右両側に長さ３ｃｍ幅１ｃｍ程のマーキングフィルムを熱圧着した形状である事。
【手続補正書】
【提出日】平成27年7月30日(2015.7.30)
【手続補正１】
【補正対象書類名】実用新案登録請求の範囲
【補正対象項目名】全文
【補正方法】変更
【補正の内容】
【実用新案登録請求の範囲】
【請求項１】
プラスチックネットを筒状に成形し、一端を熱風止して他端を開口とし、開口端近傍の左右両側にマーキング部材を設けたことを特微とするプラスチックネット袋。
(57)【要約】      （修正有）【課題】手頃な受講費用で、必要な単元だけを必要なときに受講できる、自学学習パッケージを提供する。【解決手段】授業単元別若しくは授業コマ別に分けた授業映像又は授業音声を記録した電磁媒体１と、それに伴った問題集、解説集若しくは回答集プリントを印字した紙媒体又は、それに伴った問題集、解説集若しくは回答集プリントを記録した電磁媒体２とを一緒に封入した。【選択図】図１
0003200391.tif 000002
【実用新案登録請求の範囲】
【請求項１】
授業単元別、コマ別に分けた授業映像・音声を電磁媒体に記録し、それに伴った紙媒体・電子媒体で記録印字された問題集・解説集・回答集プリントをパッケージにしたもの。
【考案の詳細な説明】
【技術分野】
【０００１】
本考案は、学習格差を改善するための、より学習者が学習の機会を均等に受けることが出来るようになるための案である。
【背景技術】
【０００２】
進学するには私塾、予備校、家庭教師、通信教育などが必須といわれる時代になった現在、保護者の所得格差が子どもの教育格差につながると言われはじめてから非常に長い期間が経っている。手頃な受講費用で、必要な単元だけを必要なときに受講出来る、学習パッケージが当考案である。
【先行技術文献】
【特許文献】
【０００３】
【特許文献１】特許公開2008−165123
【特許文献２】特許公開2014−235614
【特許文献３】特許公開平07−225547
【非特許文献】
【０００４】
【非特許文献１】実用新案公開平６−７８９５９
【考案の概要】
【考案が解決しようとする課題】
【０００５】
従来考案・発明された通信教育やイーラーニングシステムでは設備投資が大きく、その費用は受講者に跳ね返ってくるため、安いとは決して言えなかった。また、私塾をはじめとする民間教育は月謝制が大半であり、必要な単元だけを受講することは高額な負担を負うこと以外では不可能であった。各地でボランティア活動が盛んにおこなわれているが人材が足りていないのが現状である。それらを解決するこの学習パッケージは、必要な単元を必要なときに、お小遣い程度の金額で受講できるものである。また、昨今個人情報の流出が問題視されており、通信講座は受講者情報を集めるために、個人情報流出のリスクがあった。
【課題を解決するための手段】
【０００６】
単元別にコマを分けるため、必要な部分のみを必要なときに受講できるようにした。単元別のパッケージのため、低価格での提供が可能である。通信教育やイーラーニングと違い、受講者情報を集めないため、個人情報の流出が無いことが特徴である。
【考案の効果】
【０００７】
必要な単元のパッケージ化がされているので学習しやすい。
【０００８】
単元別のパッケージなので低価格で受講が出来る。
【０００９】
個人情報を扱わないため、個人情報流出の危険性が無い。
【図面の簡単な説明】
【００１０】
【図１】パッケージの内容物を図式化したものである。
【考案を実施するための形態】
【００１１】
授業動画・音声を記録した電磁媒体、学習プリントを記録印字した紙媒体及び電磁媒体をパッケージとして一緒に封入する。
【実施例】
【００１２】
低価格で受講できるため学習格差を解消できる。
【００１３】
講師のいない（私塾がない、予備校がないなど）場所でも受講が出来る。
【符号の説明】
【００１４】
(1)授業音声・動画を記録した電磁媒体
(2)対応した学習プリントを記録した紙媒体もしくは電磁媒体
【図１】
0003200391.tif 000003
【手続補正書】
【提出日】平成27年4月22日(2015.4.22)
【手続補正１】
【補正対象書類名】実用新案登録請求の範囲
【補正対象項目名】全文
【補正方法】変更
【補正の内容】
【実用新案登録請求の範囲】
【請求項１】
授業単元別若しくは授業コマ別に分けた授業映像又は授業音声を記録した電磁媒体と、それに伴った問題集、解説集若しくは回答集プリントを印字した紙媒体又は、それに伴った問題集、解説集若しくは回答集プリントを記録した電磁媒体とを一緒に封入した自学学習パッケージ。
(57)【要約】      （修正有）【課題】歯石をとる際の手間を省き、口腔の衛生を維持する犬のフードを提供する。【解決手段】円柱や四角柱状のフードの側面に犬の歯がちょうど収まる溝を施す。この溝に歯が合わさり、噛み砕こうとした時に生じる力を利用して犬の歯にこびりついた歯石に衝撃を与える。これを繰り返す事により、食事で、歯石取りを行う。【選択図】図３
0003200398.tif 000002
【実用新案登録請求の範囲】
【考案の詳細な説明】
【解決する課題】
【０００１】自然に歯石を取り除く
【課題を解決する手段】
【０００２】フードを円柱や四角柱にする
側面に溝を付ける
噛まなければ食べれない、大きさとする
【考案による効果】
【０００３】自然に歯石を取る事ができる。
噛まなければ、食べれない大きさである為呑み込む事が無い。
歯が長持ちする
歯茎が丈夫になる
【図面の簡単な説明】
【図１】凹凸の図
【図２】凹凸の図
【図３】凹凸の図
【図１】
0003200398.tif 000003
【図２】
0003200398.tif 000004
【図３】
0003200398.tif 000005
【手続補正書】
【提出日】平成27年5月21日(2015.5.21)
【手続補正１】
【補正対象書類名】実用新案登録請求の範囲
【補正対象項目名】全文
【補正方法】変更
【補正の内容】
【実用新案登録請求の範囲】
【請求項１】
形のある食べ物の各面に、二等辺三角の溝を付ける。
【手続補正書】
【提出日】平成27年7月22日(2015.7.22)
【手続補正１】
【補正対象書類名】実用新案登録請求の範囲
【補正対象項目名】全文
【補正方法】変更
【補正の内容】
【実用新案登録請求の範囲】
【請求項１】
円柱又は四角柱の形状のフードであって、側面に溝を付けたことを特徴とするフード。
(57)【要約】      （修正有）【課題】ビス、接着剤などで強化し、又アングル金物で補強した、丈夫な仕口を提供する。【解決手段】断面が四角形状の柱材１と、柱材１の４面にそれぞれ取り付けられる４本の受材３と４本の梁材２から構成される木質構造における仕口の構造であって、柱材１の対向する面に取り付けられる受材３同士は同じ高さで柱材１に取り付け、かつ、隣接する面に取り付けられる受材間３では、段違いとなるように柱材１に取り付けることで、柱材１に対して、４本の受材３を井形に構成して取り付け、さらに、梁材２の柱材１と接する面に形成した欠き込み５を、柱材１に取り付けられた受材３に対してはめ込み、かつ、はめ込みを行った受材３と隣接する面に設けられた他の受材３と梁材２をビスと接着剤により、固定することにより、梁材２を柱材１に対して取り付けた。【選択図】図３
0003200395.tif 000002
【実用新案登録請求の範囲】
【請求項１】
本考案は、木質構造における柱と梁などを接合する工法であり、柱材を欠くことなく、受材を段違いの方向に合せ、井形に取付け組んで、この受材に梁を欠いて、ハメ込み、接着剤とビスなどを併用し、コーナーは、アングル金物でビス止め補強して、より強固にした仕口。
【考案の詳細な説明】
【考案の詳細な説明】
【技術分野】
【０００１】本考案は、木質構造における柱と梁などの接合工法であり、柱材を欠くことなく、より強固な仕口を提供することである。
【背景技術】
【０００２】今日的には、柱材、梁材を欠いて、梁をハメ込んでいるので結果として仕口復雑化し、手間がかかるのである。又、プレカット工法で施工している。
【考案の開示】
【考案が解決しようとする課題】
【０００３】柱材を欠くことなく、より強固な仕口を提供するとともに、より速く取付け、組立てができ、下拵えも簡単である。
【課題を解決するための手段】
【０００４】柱材を欠くことなく、受材（梁などに対して）を段違い方向に合せ、接着剤とビスなどを併用して、梁材をハメ込み、コーナー（角）には、アングル金物を取付け、強固な仕口とする。
【考案の効果】
【０００５】柱材を欠くことなく、ネジレや変形により対応できより丈夫な仕口となり、より強固な木質構造物となる。
【考案を実施するための最良の形態】
【０００６】施工しやすい仕口であり、より丈夫な建造物になり、土台部からこの工法ができる。
そして、細かい、むずかしい加工を施さなくてすむことである。
【実施例】
【０００７】より丈夫な建造物になる。
【図面の簡単な説明】
【０００８】
【図１】仕口の平面図
【図２】仕口の立面図
【図３】仕口の姿図
【符号の説明】１  柱材
２  梁材など
３  受材
４  アングル金物
５  梁材などを欠き込む
【図１】
0003200395.tif 000003
【図２】
0003200395.tif 000004
【図３】
0003200395.tif 000005
【手続補正書】
【提出日】平成27年5月29日(2015.5.29)
【手続補正１】
【補正対象書類名】実用新案登録請求の範囲
【補正対象項目名】全文
【補正方法】変更
【補正の内容】
【実用新案登録請求の範囲】
【請求項１】
木質構造における仕口の構造であって、柱材と受材との取付けは、柱材を欠くことなく、柱材に対して、１方向に合せて受材を、はさんで、そして、直角方向に段違いにして受材をはさみ、よって柱材に対して、平面的に、井形に組むことであり、そして、柱材と受材、受材と梁などの材の取付は、両材に接着剤を塗布して、上部から、ビス等で固定し、又柱面に対して、梁などの材を受材の厚み分を欠き、接着剤を塗布して、ハメ込む。
補強として、平面的に梁などの材同志、柱材の角に、アングル金物を取付け、より強固とし、柱材、受材、梁などの材等を組合せて、取付ける仕口の構造。
【手続補正書】
【提出日】平成27年7月30日(2015.7.30)
【手続補正１】
【補正対象書類名】実用新案登録請求の範囲
【補正対象項目名】全文
【補正方法】変更
【補正の内容】
【実用新案登録請求の範囲】
【請求項１】
断面が四角形状の柱材と、柱材の４面にそれぞれ取り付けられる４本の受材と４本の梁材から構成される木質構造における仕口の構造であって
受材を、柱材の対向する面に取り付けられる受材同士は同じ高さで柱材に取り付け、かつ、隣接する面に取り付けられる受材間では、段違いとなるように柱材に取り付けることで、柱材に対して、４本の受材を井形に構成して取り付け、さらに、梁材の柱材と接する面に形成した欠き込みを、柱材に取り付けられた受材に対してはめ込み、かつ、はめ込みを行った受材と隣接する面に設けられた他の受材と梁材をビスと接着剤により、固定することにより、梁材を柱材に対して取り付けたことを特徴とする仕口の構造。
(57)【要約】      （修正有）【課題】後方全面の様子を確認でき、自転車等の運転においては、的確に危険予知でき交通事故を未然に防止する事ができるメガネ又はヘッドセットを提供する。【解決手段】メガネ１又はヘッドセットを顔・頭に装着した状態で頭の後ろ向きに取付けられたカメラ３で撮影した画像をモニタ２で確認できるようにする回路４とを備えたことを特徴とする。【選択図】図１
0003200399.tif 000002
【実用新案登録請求の範囲】
【請求項１】
後向きにカメラ、前方にモニタを備えたメガネ・ヘッドセットの電子機器装置。
【考案の詳細な説明】
【考案の詳細な説明】
【産業上の利用分野】
【０００１】  この考案は、後向きにカメラ、前方にモニタを備えたメガネ・ヘッドセットで、後方の様子をモニタを通して見る事が出来る電子機器装置である。
【背景技術】
【０００２】  従来はメガネ等に鏡を備えたアナログのメガネであった。
【考案が解決しようとする課題】
【０００３】  これには次のような欠点があった。
（イ）従来のバックミラー付きメガネは鏡により後方の確認をしていた為、確認出来る視野が非常に狭く、また小さい鏡では見にくいという欠点があった
【課題を解決する為の手段】
【０００４】  メガネ（１）又はヘッドセット（帽子等）（５）とカメラ（３）とバッテリ・回路（４）とモニタ（２）からなる構造で後方カメラ（３）で撮影した画像を前面のモニタ（２）で確認できる装置である。カメラが後方に付いているので広範囲の後方画像をモニタで確認できる。
【考案実施の形態】
【０００５】以下、本考案の実施例について説明する。
（イ）後方向きのカメラ（３）と前方モニタ（２）とバッテリ・回路（４）を備えたメガネ・ヘッドセットを装備する。
（ロ）カメラ（３）に映った後方の画像を前面のモニタ（２）により確認をして自転車等運転の安全を確保をする。
【発明の効果】
【０００６】これには次のような効果がある。
（イ）後向きに設置されたカメラから映された画像を前面のモニタで確認出来る。電子的に画像の拡大・縮小ができる為広範囲の様子を確認することができる。
（ロ）広範囲の後ろの様子を確認できるので自転車等の運転では的確に危険予知でき交通事故を未然に防止する事が可能である。
本考案は、これらの効果をもたらすものである。
【図面の簡単な説明】
【図１】本考案めがねの斜視図である。
【図２】本考案ヘッドセット（一例として帽子）の正面図である。
【図３】本考案ヘッドセット（一例として帽子）の背面図である。
【符号の説明】１  めがね
２  モニタ
３  カメラ
４  バッテリ・回路
５  ヘッドセット（一例として帽子）
【図１】
0003200399.tif 000003
【図２】
0003200399.tif 000004
【図３】
0003200399.tif 000005
【手続補正書】
【提出日】平成27年7月11日(2015.7.11)
【手続補正１】
【補正対象書類名】実用新案登録請求の範囲
【補正対象項目名】全文
【補正方法】変更
【補正の内容】
【実用新案登録請求の範囲】
【請求項１】
メガネ又はヘッドセットを顔・頭に装着した状態で頭の後ろ向きに取付けられたカメラ（３）で撮影した画像をモニタ（２）で確認できるようにする回路（４）とを備えた構造をしたメガネ又はヘッドセット。